(57)【特許請求の範囲】
【請求項１】
導電線と、
前記導電線に積層配置されるとともに、前記導電線の積層方向からの正投影の形状がループ状をなし、前記導電線を保持するための保持部材と、
前記保持部材の一部に積層配置された補強部材とを具備したことを特徴とするフレキシブルコイル。
【請求項２】
前記導電線に誘起される磁気共鳴信号を回路基板部に伝送するためのコネクタを更に備え、
前記補強部材は、保持部材において前記コネクタ近傍に配置されることを特徴とする請求項１に記載のフレキシブルコイル。
【請求項３】
前記導電線は、前記保持部材に形成されるフレキシブルプリント基板であって、
前記コネクタは、前記保持部材に設けられていることを特徴とする請求項２に記載のフレキシブルコイル。
【請求項４】
前記保持部材は、前記導電線を挟み込む複数枚のシート材であることを特徴とする請求項１乃至請求項３のいずれか一項に記載のフレキシブルコイル。
【請求項５】
前記補強部材は、前記コネクタから離れた位置において前記積層方向に非対称に配置されたシート材であることを特徴とする請求項２に記載のフレキシブルコイル。
【請求項６】
前記保持部材および前記補強部材を構成する各々の間に粘着層をさらに有することを特徴とする請求項１乃至請求項５のいずれか一項に記載のフレキシブルコイル。
【請求項７】
前記導電線はループを形成するものであって、その一部に接続された電気回路と、
前記導電線に誘起される磁気共鳴信号を回路基板部に伝送するためのコネクタとをさらに備え、
前記補強部材は、前記保持部材において前記コネクタおよび前記電気回路近傍に配置されることを特徴とする請求項１に記載のフレキシブルコイル。
【発明の詳細な説明】
【技術分野】
【０００１】
本発明は、磁気共鳴信号を受信するために使用されるフレキシブルコイルに関する。
【背景技術】
【０００２】
ＭＲＩ装置のＲＦコイルとしては、フレキシブルコイルが用いられる（例えば、特許文献１を参照）。フレキシブルコイルは、被検者の体表形状に沿うように配置できるように柔軟性を持つように構成されている。
【特許文献１】特開平２−２６５３６号公報
【発明の開示】
【発明が解決しようとする課題】
【０００３】
フレキシブルコイルは、柔軟な薄いシート材を構造材として用いた場合、被検者の体表形状への追従性は高まるものの、回路基板部との接続部などにおける信頼性が低下してしまう。
【０００４】
信頼性を向上するために、構造材としてのシート材を厚くしたり、構造材としてより柔軟性の低い材料を使用すると、被検体の体表形状への追従性が悪化してしまう。
【０００５】
本発明はこのような事情を考慮してなされたものであり、その目的とするところは、柔軟性および信頼性の双方を確保することができるフレキシブルコイルを提供することにある。
【課題を解決するための手段】
【０００６】
以上の目的を達成するために本発明のフレキシブルコイルは、導電線と、前記導電線に積層配置されるとともに、前記導電線の積層方向からの正投影の形状がループ状をなし、前記導電線を保持するための保持部材と、前記保持部材の一部に積層配置された補強部材とを備えた。
【発明の効果】
【０００８】
本発明によれば、フレキシブルコイルにおける柔軟性および信頼性の双方を確保することが可能となる。
【発明を実施するための最良の形態】
【０００９】
以下、図面を参照して本発明の一実施形態について説明する。
【００１０】
図１は本実施形態に係るフレキシブルコイルの斜視図である。図２は本実施形態に係るフレキシブルコイルの分解斜視図である。
【００１１】
このフレキシブルコイルは、７枚の構造材１〜７を積層配置した上で、その全体を柔らかい発泡剤により覆って形成される。フレキシブルコイルの投影形状は、角を丸めた矩形状のループをなす。なお本実施形態において「投影形状」とは、構造材１〜７の積層方向からの正投影の形状を表す。
【００１２】
構造材１〜７は、いずれも樹脂などの弾性を持つ材料をシート状に成形している。
【００１３】
構造材１，２，３は、いずれも投影形状が同一である。構造材１，２，３の投影形状は、角を丸めた矩形状のループをなす。また構造材１，２，３の投影形状は、矩形の短辺の一方から外側に向かう突部を有する。構造材１，２，３は、構造材２を構造材１，３で挟むように積層される。
【００１４】
構造材２の表面には、導電材料によってループ状の導電パターンが形成されている。導電パターンは、構造材２の突部に取り付けられたコネクタ９に接続されている。
【００１５】
構造材４，５は、いずれも投影形状が同一である。構造材４，５の投影形状は、構造材１，２，３の突部および１つの角部を含めた一部を切り取った形状をなす。構造材４，５は、構造材１，３にそれぞれ重ねられる。構造材４，５の投影形状は一方の端部４ａ，５ａにおいて、構造材１，３と重なる幅が先端に向かって徐々に狭くなる形状をなす。
【００１６】
構造材６，７の投影形状は、細長い矩形状をなす。構造材６，７は、構造材１の矩形の長辺部分に重ねられる。
【００１７】
かくしてこのような構造のフレキシブルコイルは、構造材の積層枚数が部分毎に３，４または５枚と変化する。積層枚数が５枚になる部分は、積層枚数が３，４枚になる部分に比べて強度が高くなる。積層枚数が４枚になる部分は、積層枚数が３枚になる部分に比べて強度が高くなる。逆に、積層枚数が３枚になる部分は、積層枚数が４，５枚になる部分に比べて柔軟性が高くなる。積層枚数が４枚になる部分は、積層枚数が５枚になる部分に比べて柔軟性が高くなる。この結果、コネクタ９が取り付けられる突部の近辺などにおいては高い強度を確保しながら、その他の部分に適度な柔軟性を持たせることができる。すなわち、コネクタ９による外部の回路基板部との接続に関する信頼性は確保しながら、被検者の体表形状への追従性を良好とすることができる。
【００１８】
構造材１〜７は、互いに接着するのではなく、発泡剤で覆うことによって緩やかに束ねられている。このため、隣接する構造材どうしが互いに滑ることが可能であり、しなやかに変形することが可能である。なお、隣接する構造材どうしの滑り量が大きくなりすぎる恐れがある場合には、適度な粘度を持った粘着材を構造材どうしの間に配置すると良い。
【００１９】
また、局所的に強度を高めるための構造材４，５の端部４ａ，５ａを前述のような投影形状にしていることから、構造材４，５による補強効果を構造材４，５の先端に向かうに従って徐々に少なくすることができる。すなわち、積層枚数の変化によらずに部分的な強度の変化をつけることができる。
【００２０】
この実施形態は、次のような種々の変形実施が可能である。  
フレキシブルコイルのループ部の形状は、例えば図３に示すような円形状などのような別の形状であっても良い。
【００２１】
構造材１〜７の全体を覆うのではなく、一部分のみを覆うことによって構造材１〜７を束ねるようにしても良い。この場合、発泡剤に代えて、結束バンドなどの別手段により構造材１〜７を束ねるようにしても良い。
【００２２】
構造材の積層枚数や、個々の構造材の形状は適宜に変更が可能である。
【００２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２４】
【図１】本発明の一実施形態に係るフレキシブルコイルの斜視図。
【図２】図１に示すフレキシブルコイルの分解斜視図。
【図３】フレキシブルコイルの変形例を示す分解斜視図。
【符号の説明】
【００２５】
１〜７…構造材、４ａ，５ａ…端部、８…導電パターン、９…コネクタ。
【図１】
0005159036.tif 000002
【図２】
0005159036.tif 000003
【図３】
0005159036.tif 000004